(57)【要約】【課題】必要なスペースを縮小して利便性を向上させた電子内視鏡装置や、その他の撮像機器、表示装置を備える電子機器における画面表示の制御方法を提供する。【解決手段】モニタ画面３４を含むモニタ３２をプロセッサ３０に一体化させ、さらにプロセッサ３０設置時の支持面として、プロセッサ底面３０Ｂと側面３０Ｓとを選択可能とする。そして、プロセッサ３０に対する被写体像やキャラクタ情報の表示の方向を、底面設置時と側面設置時とで自動的に切替える。さらに、キャラクタ情報については、表示方向のみならず、モニタ画面３４上の表示位置を制御することにより、キャラクタ情報と被写体像との位置関係や、キャラクタ情報同士の位置関係を、底面設置時と側面設置時とで維持する。こうして、オペレータにとって、底面設置時と側面設置時とで実質上同一の被写体像、キャラクタ情報が表示される。【選択図】    図５
2005073721.tif 000002
【特許請求の範囲】
【請求項１】
プロセッサの表面であって、略水平方向に沿った設置面に支持されるための第１の面と、
前記第１の面に略垂直であって前記設置面に支持されるための第２の面と、
前記第１の面および前記第２の面のうち支持されている面を検出する支持面検出手段と、
前記第１の面に略平行な第１の方向および前記第２の面に略平行な第２の方向に沿って画像形成フレームを規定する画像形成部と、
前記第１の面が支持されている場合、前記第１の方向を被写体像の左右方向、前記第２の方向を被写体像の上下方向に規定し、ビデオスコープの撮像素子から読み出される画素信号に基いた映像信号に応じて、視覚される像に応じて正立している第１の被写体像を前記画像形成部に表示する第１被写体像表示手段と、
前記第２の面が支持されている場合、前記第２の方向を被写体像の左右方向、前記第１の方向を被写体像の上下方向に規定し、ビデオスコープの撮像素子から読み出される画素信号に基いた映像信号に応じて、視覚される像に応じて正立している第２の被写体像を前記画像形成部に表示する第２被写体像表示手段とを備えることを特徴とする電子内視鏡装置のプロセッサ。
【請求項２】
前記第２被写体像表示手段が、前記映像信号に対する間引き処理により、前記第１の被写体像よりサイズの小さい前記第２の被写体像を表示することを特徴とする請求項１に記載の電子内視鏡装置のプロセッサ。
【請求項３】
前記第１被写体像表示手段と前記第２被写体像表示手段とが、キャラクタ情報をさらに表示可能であり、
前記第１被写体像表示手段が、キャラクタ信号に基いて前記画像形成部の所定の位置に第１キャラクタ情報を表示し、
前記第２被写体像表示手段が、キャラクタ信号に基いて前記第１キャラクタ情報の前記画像形成部の中心に対する位置関係を維持するように所定の位置に第２キャラクタ情報を表示することを特徴とする請求項１に記載の電子内視鏡装置のプロセッサ。
【請求項４】
前記支持面検出手段が、前記第１の面上および前記第２の面上に設けられるスイッチから成ることを特徴とする請求項１に記載の電子内視鏡装置のプロセッサ。
【請求項５】
前記第１の面および前記第２の面のうち支持されている面が検出されない場合、設置における異常をオペレータに知らせる報知手段をさらに有することを特徴とする請求項１に記載の電子内視鏡装置のプロセッサ。
【請求項６】
互いに略直交する第１の方向と第２の方向とに沿って画像形成フレームを規定する画像形成部と、
前記第１の方向を被写体像の左右方向、前記第２の方向を被写体像の上下方向に規定し、正立している第１の被写体像を前記画像形成部に表示する第１被写体像表示手段と、
前記第２の方向を被写体像の左右方向、前記第１の方向を被写体像の上下方向に規定し、正立している第２の被写体像を前記画像形成部に表示する第２被写体像表示手段とを備え、
前記第１被写体像表示手段と前記第２被写体像表示手段とが切替え可能であることを特徴とする表示機能付き電子機器。
【発明の詳細な説明】
【０００１】
【発明の属する技術分野】
本発明は、電子内視鏡装置やビデオカメラ等の撮像機器や、携帯電話等の表示装置付き機器における、被写体像やキャラクタ情報の画面表示制御に関する。
【０００２】
【従来の技術】
従来の電子内視鏡装置は、体内に挿入されるビデオスコープと、信号処理が施されるプロセッサと、観察部位を表示するモニタとから構成されている。そして、ケーブルを介してプロセッサから送信される信号に基いて、モニタ画面に観察部位の像が映し出される。この時、画面表示に関しては、被写体像を所定のエリアに表示させたり、観察されている患者名等のキャラクタ情報を表示させるために、プロセッサにおいて表示制御が施されている。
【０００３】
【発明が解決しようとする課題】
モニタとプロセッサとがそれぞれ独立して設置されているため、電子内視鏡装置の設置、使用に必要なスペースが大きくなり、設置のための時間もかかり、内視鏡操作全体の効率を低下させていた。また、その他の表示機能付き電子機器についても、必ずしも使用状況に応じた画面表示が可能ではない。
【０００４】
そこで本発明では、必要なスペースを縮小して電子内視鏡装置の利便性を向上させるとともに、電子内視鏡装置やその他の表示装置において、使用状況に応じた表示を可能にする画面表示の制御方法を提供することを目的とする。
【０００５】
【課題を解決するための手段】
本発明における電子内視鏡装置のプロセッサは、プロセッサの表面であり、略水平方向に沿った設置面に必要に応じて支持される第１の面と、第１の面に略垂直であって必要に応じて設置面に支持される第２の面とを備えている。そして、第１の面および第２の面のうち、支持されている面がいずれであるかを検出する支持面検出手段を備え、第１の面に略平行な第１の方向および第２の面に略平行な第２の方向に沿って画像形成フレームを規定する画像形成部を備える。
【０００６】
そして、第１の面が支持されている場合には、第１被写体像表示手段により、第１の方向が被写体像の左右方向、第２の方向が被写体像の上下方向として規定され、ビデオスコープの撮像素子により読み出される画像信号による、視覚される像に応じて正立している第１の被写体像が、画像形成部に表示される。ここで、正立している被写体像とは、視覚される像に応じた左右上下反転のない被写体像を意味する。また、第２の面が支持されている場合には、第２被写体像表示手段により、第２の方向が被写体像の左右方向、第１の方向が被写体像の上下方向として規定され、撮像素子により読み出される画像信号による、視覚される像に応じて正立している第２の被写体像が、画像形成部に表示される。
【０００７】
同一の被写体を、第１被写体像表示手段と第２被写体像表示手段とが画像形成部に第１の被写体像と第２の被写体像としてそれぞれ表示する場合、いずれの場合においても同じ姿勢で画像形成部に対向するオペレータにとっては、第１の被写体像と第２の被写体像とは、略同一のものとして観察される。
【０００８】
例えば、第１被写体像表示手段は、撮像素子から読み出される画素信号に基いた映像信号に応じて第１の被写体像を表示し、第２被写体像表示手段は、映像信号に対する間引き処理により、第１の被写体像よりもサイズの小さい第２の被写体像を表示する。
【０００９】
第１被写体像表示手段と第２被写体像表示手段とは、文字や数字を含むキャラクタ情報をさらに表示可能であることが好ましい。キャラクタ信号に基いて、第１被写体像表示手段により、画像形成部の所定の位置に第１キャラクタ情報が表示され、一方、第２被写体像表示手段により、第１キャラクタ情報の画像形成部の中心に対する位置関係を維持する所定の位置に第２キャラクタ情報が表示されることがより好ましい。側面設置時と底面設置時とで、文字や数字を含むキャラクタ情報の表示方向だけが変更され、表示位置がキャラクタ表示領域３５上で同一であると、キャラクタ情報と被写体像の位置関係や、キャラクタ情報同士の位置関係が維持されず、不自然な表示となる。このため、同一のキャラクタ信号に基くキャラクタ情報は、第１被写体像表示手段による場合と第２被写体像表示手段による場合とで異なる位置に表示される。
【００１０】
本発明における電子内視鏡装置のプロセッサは、第１の面および第２の面のうち支持されている面が検出されない場合に、設置における異常をオペレータに知らせるための報知手段を有することが望ましい。
【００１１】
本発明の表示機能付き電子機器は、互いに直交する第１の方向と第２の方向とに沿って画像形成フレームを規定する画像形成部を有する。そして、第１の方向を被写体像の左右方向、  第２の方向を被写体像の上下方向に規定して、正立している第１の被写体像を画像形成部に表示する第１被写体像表示手段と、第２の方向を被写体像の左右方向、第１の方向を被写体像の上下方向に規定して、正立している第２の被写体像を画像形成部に表示する第２被写体像表示手段とを備える。第１被写体像表示手段と第２被写体像表示手段とは、オペレータの操作により、あるいは自動的に切替えが可能である。
【００１２】
【発明の実施の形態】
以下では、図面を参照して本発明の電子内視鏡装置１０について説明する。図１は、本実施形態における電子内視鏡装置１０のブロック図である。
【００１３】
電子内視鏡装置１０には、ＣＣＤ１１を有するビデオスコープ２０と、ＣＣＤ１１から読み出される信号を処理するプロセッサ３０とが備えられている。ビデオスコープ２０は、プロセッサ３０と着脱自在に接続される。
【００１４】
ビデオスコープ２０内にはライトガイド１２が挿通されている。ライトガイド１２は、光源部２２から放射される光を伝達する光ファイバ束であり、ライトガイド入射端１２Ａと光源部２２との間には、光源部２２内の光源から放射される光束の光量を調節するための絞り（図示せず）や、光をライトガイド入射端１２Ａに集光させるための集光レンズ（図示せず）が設けられている。ビデオスコープ２０がプロセッサ３０に接続され、光源部２２内の光源から光が放射されると、光はライトガイド入射端１２Ａに入射し、ビデオスコープ２０側にあるライトガイド１２の出射端１２Ｂから出射する。そして、ライトガイド１２から出射した光により、観察部位Ｓに光が照射される。
【００１５】
観察部位Ｓで反射した光は、対物レンズ（図示せず）、カラーフィルタ（図示せず）を通ってＣＣＤ１１の受光面に到達し、これにより観察部位Ｓの被写体像がＣＣＤ１１の受光面に形成される。本実施形態においては、撮像方式として同時単板式が適用されており、ＣＣＤ１１の受光面上にはＲ、Ｇ、Ｂの色要素からなる原色のカラーフィルタ（図示せず）が配設されている。ＣＣＤ１１では、カラーフィルタを通る色に応じた被写体像の画像信号が光電変換により発生し、所定時間ごとに１フレームもしくは１フィールド分の画像信号が順次読み出される。ここではカラーテレビジョン方式としてＮＴＳＣ方式が適用されており、１／３０（１／６０）秒間隔ごとに１フレーム（１フィールド）分の画像信号が順次読み出され、初段信号処理回路２４へ送られる。
【００１６】
初期信号処理回路２４において、各色の１フレーム分のアナログ画素信号は、デジタル画像信号に変換される。さらに、デジタル画像信号にはホワイトバランス調整、γ補正などの処理が施されて、各色毎に画像メモリ２５に格納される。デジタル画像信号は、カラーアナログビデオ信号（以下映像信号という）に変換され、映像信号が後段映像信号処理回路２６へ送信される。映像信号は、後段映像信号処理回路２６において出力レベルが調整されてからプリンタ３６に送信され、この結果プリンタ３６による被写体像の印刷が可能となる。なお、アナログ信号からデジタル信号への変換、デジタル信号からアナログ信号への変換、画像メモリ２５への画素信号の取り込み等は、タイミングコントローラ２８によって制御される。
【００１７】
本発明による電子内視鏡装置においては、モニタ画面３４を備えたモニタ３２は、プロセッサ３０と一体化されている。そして、モニタ３２が一体化されたプロセッサ３０は、その表面を構成する面のうち最も面積の広い１つの面（以下底面３０Ｂという）あるいは底面３０Ｂに隣接して直交する１つの面（以下側面３０Ｓという）を下にして設置される。
【００１８】
プロセッサ底面３０Ｂには底面スイッチ４０が設けられており、底面スイッチ４０は、プロセッサ３０がプロセッサ底面３０Ｂを支持面として設置されたことを検出する。そして、この検出に基いて、プロセッサ底面３０Ｂを下にしてプロセッサ３０が設置されていること（以下底面設置という）を示す信号が、システムコントローラ２１に送られる。同様に、プロセッサ３０の側面３０Ｓに設けられた側面スイッチ４２は、プロセッサ３０がプロセッサ側面３０Ｓを支持面として設置されたことを検出し、この場合にはプロセッサ側面３０Ｓを下にしてプロセッサ３０が設置されていること（以下側面設置という）を示す信号が、システムコントローラ２１に送られる。
【００１９】
底面設置信号が検出されると、制御信号がシステムコントローラ２１からＬＣＤ用信号処理回路２７に送られる。この制御信号により、モニタ画面３４のフレーム３１を形成する辺のうち、底面３０Ｂと平行な第１辺αの方向（いわゆる水平主走査方向・以下第１の方向という）を被写体像の左右方向とし、側面３０Ｓと平行な第２辺βの方向（いわゆる垂直走査方向・以下第２の方向という）を被写体像の上下方向として被写体像をＬＣＤ（液晶ディスプレイ）であるモニタ画面３４上に表示させることが定められる（この表示方法を以下では第１被写体像表示方法という）。
【００２０】
一方、側面設置信号が検出されると、システムコントローラ２１からＬＣＤ用信号処理回路２７に送られる制御信号により、第１の方向を被写体像の上下方向とし、第２の方向を被写体像の左右方向として被写体像をモニタ画面３４上に表示させることが定められる（この表示方法を以下では第２被写体像表示方法という）。
【００２１】
本実施形態の電子内視鏡装置においては、文字や数字を含むキャラクタ情報は、一定の条件下で自動的に表示されたり、あるいはキーボード４４による文字や数字の入力により表示される。キーボード４４を用いて文字や数字が入力されると、システムコントローラ２１によって定められている表示方法に従って、モニタ画面３４上に文字や数字が表示される。
【００２２】
図２は、底面設置時に被写体像を表示するプロセッサ３０の正面図である。
【００２３】
本実施形態では、モニタ画面３４を備えたモニタ３２がプロセッサ３０に開閉自在に一体化されており、図２では、モニタ３２が開いた状態を示している。モニタ画面３４のフレーム３１内では、第１辺αと第２辺βを含むフレーム３１と、被写体像を表示する被写体像表示領域３３と、文字や数字を含むキャラクタ情報が表示される領域Ａ〜Ｄのキャラクタ表示領域３５とから構成されている。なお、被写体像表示領域３３のフレームは矩形状であり、第１の方向と平行な辺（以下第３辺γという）と、第２の方向と平行な辺（以下第４辺εという）とに沿って画像が形成される。
【００２４】
ここでは、プロセッサ３０が底面設置されているため、観察部位Ｓの被写体像は、第１被写体像表示方法により被写体像表示領域３３に表示されている。なお矢印Ｉの方向が上である。
【００２５】
キャラクタ表示領域３５の領域Ａには、“ＮＡＭＥ”“ＩＤ”等の文字が、領域Ｂには“ＤＡＴＥ”“ＴＩＭＥ”の文字が、領域Ｃには“ＣＯＭＭＥＮＴ”の文字が表示され、一方、領域Ｄには文字が表示されていない。
【００２６】
図３は、表示される被写体像を構成する画素の配列を概念的に示す図である。図４は、モニタ画面３４を形成する画素のうち、被写体像表示領域３３の表面に配列されている画素を概略的に示す図である。
【００２７】
表示される被写体像を構成する画素は、Ｘ行×Ｙ列のマトリクス状に配列されており、画像メモリ２５では、各画素がデータとして所定のアドレスに格納されている。プロセッサ３０が底面設置されていると検出され、第１被写体像表示方法による被写体像表示が選択されると、画像メモリ２５に記録されている画素データが行ごとに順番に読み出される。すなわち、Ａ１１、Ａ１２、…Ａ１（ｙ―１）、Ａ１ｙまで順番に読み出され、２行目のＡ２１、Ａ２２…Ａ２（ｙ―１）、Ａ２ｙ、３行目のＡ３１、…Ａ３ｙ…と順に読み出される。読み出しの順番決定は最も下の行まで進み、Ａｘｙが最後と定められる。こうして、Ａ１１からＡｘｙまでの全ての画素データの読み出しの順番が定められ、この順番に従って、画素データはＬＣＤ用信号処理回路２７に送信される。
【００２８】
被写体像表示領域３３における被写体像の表示は、ＬＣＤ用信号処理回路２７により、画像メモリ２５に記録されている各画素データに対応する被写体像表示領域３３の画素に対して、印加を調整することにより実施される。そして、被写体像表示領域３３を形成するいずれの画素が、先述のいずれの画素データに対応して表示を行うかは、画素データの読み出しの順番に対応するように予め定められている。すなわち、最初の画素データによる表示は、底面設置時の被写体像表示領域３３をオペレータから見た時に最も左上に位置する画素であるＰ１において実施され、２番目の信号による表示はＰ１に隣接するＰ２となり、３番目以下の信号には第３辺γに沿ってＰ２の右側に位置する画素が順次対応し、Ｙ番目の画素データに基く表示は、右端の画素であるＰｙにて実施される。続いて、以下の画素データによる表示は、上から２行目の画素行に移り、Ｐ（ｙ＋１）以下、Ｐ（ｙ＋１）の右側に位置する画素にて順次行われる。各画素行の右端の画素の次には、そのすぐ下の行の最も左側に位置する画素が画素データに対応し、以下順次その行の右側の画素が各画素データに対応することとなる。なお、図３に示す画像メモリ２５における概念的な画素配列と、被写体像表示領域３３における画素配列との対応関係は、画素データの読み出しの順番によって決定される。すなわち、読み出しの順番が決まると、被写体像表示領域３３の各画素において、それぞれに対応する画素データが定められることとなる。
【００２９】
以上より、第１被写体像表示方法による被写体像表示が選択され、先述の順番で画素データが読み出された場合、画素データＡ１１に基く表示は被写体像表示領域３３の画素であるＰ１において実施され、以下画素データＡ１２には画素Ｐ２、画素データＡ１（ｙ―１）には画素Ｐ（ｙ―１）、画素データＡ１ｙには画素Ｐｙ、画素データＡ２１には画素Ｐ（ｙ＋１）、読み出し順番が最後の画素データＡｘｙにはＰ（ｘｙ）が、それぞれ対応して表示が行われることとなる。こうして全ての画素データについて、それぞれに対応する画素によって表示が行われ、全体として被写体像表示領域３３上に観察部位Ｓの正立している被写体像が表示されることとなる。
【００３０】
図５は、底面設置時のキャラクタ表示領域３５における文字表示の一部を示す図である。
【００３１】
キャラクタ表示領域３５の領域Ａの一部を概略的に示す図５においては、底面設置時の文字表示の例として、図２における文字のキャラクタ情報“ＩＤ”のうちの“Ｄ”を示している。ここで、矢印ＩＩは右を示し、矢印ＩＩＩは下を示している。
プロセッサ３０が底面設置されていると検出され、第１被写体像表示方法による被写体像表示が選択されると、システムコントローラ２１に予め記録されているアルファベットの“Ｄ”を表示させるキャラクタ信号に基づいて、ＬＣＤ用信号処理回路２７により、図５に示す所定の位置にある画素に対する印加が調整されることにより、キャラクタ情報“Ｄ”が表示される。
【００３２】
ここで、キャラクタ表示領域３５を形成するいずれの画素が、いずれのキャラクタ信号に対応して表示を行うかは、キャラクタ信号の読み出しの順番によって定められる。すなわち、読み出しの順番が最初のキャラクタ信号による表示を行う画素がＰ’１１であり、２番目の画素データに対応するのが画素Ｐ’１２であり、以下全てのキャラクタ信号に対応する画素が定められているが、ここではアルファベットの“Ｄ”の表示に関する部分を中心に概略的に示されている。なお、キャラクタ表示領域３５を形成する画素のうち、底面設置時に最も下の行の左端に位置する画素が、Ｐ’ｘ１である。また、オペレータのキーボード４４の操作により入力された文字や数字によるキャラクタ信号によっても、キャラクタ情報は同様に表示される。
【００３３】
図６は、側面設置時に被写体像を表示するプロセッサ３０の正面図である。
【００３４】
ここでは、プロセッサ３０が側面設置されているため、プロセッサ側面３０Ｓ上に設けられた側面スイッチ４２がその設置状態を検出しており、側面設置信号がシステムコントローラ２１に送信される。従って、先述の第１被写体像表示方法による表示例（図２参照）と同様の映像信号に基く観察部位Ｓの被写体像が、第２被写体像表示方法により被写体像表示領域３３に表示されている。なお、矢印ＩＶは上を示している。
【００３５】
本実施形態においては、モニタ画面３４の被写体像表示領域３３のフレームを形成する辺のうち、第３辺γが第４辺εよりも長く、第３辺γと平行な画素行を構成する画素数が、第４辺εと平行な画素列を構成する画素数よりも多い。従って、底面設置時に被写体像が映し出される基となった同じ映像信号に基いて、側面設置時に被写体像が映し出される場合には、完全に同一の被写体像を表示することはできない。
【００３６】
そこで、本実施形態においては、システムコントローラ２１によってプロセッサ３０が側面設置されていると検出されると、同様の映像信号により底面設置時に表示される被写体像と同一の形状であってサイズのより小さい被写体像が、被写体像表示領域３３内に表示されるように、映像信号に対する間引き処理が施される。このため、側面設置時の被写体像の表示は、被写体像表示領域３３よりも小さく、被写体像表示領域３３の相似形である側面設置時表示領域Ｅにて行われる。
【００３７】
一方、キャラクタ表示領域３５の領域Ａには“ＤＡＴＥ”“ＴＩＭＥ”の文字が、領域Ｃには“ＮＡＭＥ”“ＩＤ”等の文字が、領域Ｄには“ＣＯＭＭＥＮＴ”の文字が表示されており、領域Ｂには文字は表示されていない。従って、先述の底面設置時（図２参照）と比較すると、同一の文字が表示される領域が異なっている。
【００３８】
本実施形態においては、第１被写体像表示方法によりモニタ画面の所定の位置にキャラクタ情報が表示された場合と同一のキャラクタ情報が第２被写体像表示方法により表示される場合、その表示は、第１被写体像表示方法により表示された位置とモニタ画面３４の中心との位置関係を、維持する位置においてなされる。この結果、キャラクタ情報と被写体像との位置関係や、複数の文字や数字からなるキャラクタ情報同士の位置関係は、側面設置時と底面設置時とで維持されることとなる（図６および図２参照）。
【００３９】
図７は、表示される被写体像を構成する画素の配列を概念的に示す図である。図８は、モニタ画面３４を形成する画素のうち、被写体像表示領域３３の表面に配列されている画素を概略的に示す図である。
【００４０】
先述のように、表示される被写体像を構成する画素は、Ｘ行×Ｙ列のマトリクス状に配列されており、画像メモリ２５では、各画素がデータとして所定のアドレスに格納されている。プロセッサ３０が側面設置されていると検出され、第２被写体像表示方法による被写体像表示が選択されると、画像メモリ２５に記録されている画像データが列ごとに順番に読み出される。すなわち、Ａ１ｙ、Ａ２ｙ、…Ａ（ｘ−１）ｙ、Ａｘｙまで順番に読み出され、２列目のＡ１（ｙ−１）、…Ａｘ（ｙ−１）、３列目のＡ１（ｙ−２）、…Ａｘ（ｙ−２）、…と順に読み出される。読み出しの順番決定は最も左の列まで進み、Ａｘ１が最後と定められる。こうして、Ａ１ｙからＡｘ１までの全ての映像信号の読み出しの順番が定められ、この順番に従って、映像信号はＬＣＤ用信号処理回路２７に送信される。
【００４１】
先述のように、被写体像表示領域３３における被写体像の表示は、ＬＣＤ用信号処理回路２７により、画像メモリ２５に記録されている各画素データに対応する被写体像表示領域３３の画素に対して、印加を調整することにより実施される。そして、被写体像表示領域３３を形成するいずれの画素が、先述のいずれの画素データに対応して表示を行うかは、画素データの読み出しの順番に対応するように予め定められている。すなわち、最初の映像信号による表示は、被写体像表示領域３３を側面設置時にオペレータから見た時に最も右上に位置する画素であるＰ１において実施され、２番目の信号による表示はＰ１に隣接するＰ２となり、３番目以下の信号は第３辺γに沿ってＰ２の下側に位置する画素が順次対応し、Ｙ番目の映像信号に基く表示は、最も下に位置する画素であるＰｙにて実施される。続いて、以下の画素データによる表示は、右から２列目の画素列に移り、Ｐ（ｙ＋１）以下、Ｐ（ｙ＋１）の下側に位置する画素にて順次行われる。各画素列の最も下に位置する画素の次には、その左隣の列の最も上に位置する画素が画素データに対応し、以下順次その列の下側の画素が各画素データに対応することとなる。
【００４２】
以上より、第２被写体像表示方法による被写体像表示が選択され、先述の順番で映像信号が読み出された場合、画素データＡ１ｙに基く表示は被写体像表示領域３３の画素であるＰ１において実施され、以下画素データＡ２ｙには画素Ｐ２、画素データＡ（ｘ−１）ｙには画素Ｐ（ｙ−１）、画素データＡｘｙには画素Ｐｙ、画素データＡ１（ｙ−１）には画素Ｐ（ｙ＋１）がそれぞれ対応して、画素データＡ２１には画素Ｐ（ｙ＋１）、読み出し順番が最後の画素データＡｘ１にはＰ（ｘｙ）が、それぞれ対応して表示が行われることとなる。こうして、全ての画素データについて、それぞれに対応する画素によって表示が行われ、全体として被写体像表示領域３３上に観察部位Ｓの正立している被写体像が表示されることとなる。なおこのように、同一の画素データを底面設置時とは異なる順番で読み出すことにより、底面設置時と実質上同一の被写体像が表示されている（図６および図２参照。先述の間引き処理により、被写体像のサイズは異なる）。
【００４３】
図９は、側面設置時のキャラクタ表示領域３５における文字表示の一部を示す図である。
【００４４】
キャラクタ表示領域３５の領域Ｃの一部を概略的に示す図９においては、側面設置時の文字表示の例として、図６における文字のキャラクタ情報“ＩＤ”のうちの“Ｄ”を示している。ここで矢印Ｖは下を示し、矢印ＶＩは左を示している。プロセッサ３０が側面設置されていると検出され、第２被写体像表示方法による被写体像表示が選択されると、システムコントローラ２１に予め記録されているアルファベットの“Ｄ”を表示させるキャラクタ信号に基づいて、ＬＣＤ用信号処理回路２７により、図９に示す所定の位置にある画素に対する印加が調整されることにより、キャラクタ情報“Ｄ”が表示される。
【００４５】
先述のように、キャラクタ表示領域３５を形成するいずれの画素が、いずれのキャラクタ信号に対応して表示を行うかは、キャラクタ信号の読み出しの順番によって定められる。すなわち、読み出しの順番が最初のキャラクタ信号による表示を行う画素がＰ’１１であり、２番目の画素データに対応するのが画素Ｐ’１２である。ただし本実施形態においては、先述の底面設置時に表示された所定のキャラクタ情報とモニタ画面３４の中心との位置関係が、側面設置時においても維持されるように、側面設置時のキャラクタ信号の読み出しの順番が底面設置時とは異なっている。このため、キャラクタ情報“Ｄ”が表示される位置が底面設置時とは異なり、キャラクタ情報“Ｄ”と観察部位Ｓの被写体像との位置関係や、キャラクタ情報“Ｄ”と他のキャラクタ情報との位置関係が維持されている（図６および図２参照）。
【００４６】
なお、図７〜図９における画素データの読み出し、画素データに対応する被写体像表示領域３３における画素の配列、キャラクタ表示領域３５における画素の配列については、先述の間引き処理により、被写体像の表示に用いられない画像データおよび画素については考慮されていない。
【００４７】
図１０は、システムコントローラ２１にて行われるプロセッサ３０の設置面を検出するルーチンを示した図である。電子内視鏡装置１０のメインスイッチが操作され、ＯＮの状態となるとルーチンが開始される。
【００４８】
ステップＳ８０１では、底面スイッチ４０がＯＮの状態であるか否かが検出される。底面スイッチ４０がＯＮの状態である、すなわちプロセッサ３０が、底面設置されていると検出されると、ステップＳ８０２に進む。底面スイッチ４０がＯＮの状態でないと検出されると、ステップＳ８０５に進む。
【００４９】
ステップＳ８０２では、側面スイッチ４２がＯＮの状態であるか否かが検出される。側面スイッチ４２がＯＮの状態であると検出されると、先にステップＳ８０１において底面設置されていると検出された結果と矛盾するため、ステップＳ８０３に進み、オペレータに設置状態の確認を促すエラーメッセージが表示されてルーチンは終了する。一方、側面スイッチ４２がＯＮの状態でないと検出されると、ステップＳ８０４に進む。ステップＳ８０４において、プロセッサ３０が底面設置されていると検出されるため、底面設置時の表示が行われることとなり、ルーチンは終了する。
【００５０】
ステップＳ８０５では、ステップＳ８０２と同様に、側面スイッチ４２がＯＮの状態であるか否かが検出される。側面スイッチ４２がＯＮの状態であると検出されると、ステップＳ８０６に進む。ステップＳ８０６において、プロセッサ３０が側面設置されていると検出されるため、側面設置時の表示が行われることとなり、ルーチンは終了する。一方、側面スイッチ４２がＯＮの状態でないと検出されると、先にステップＳ８０１において底面設置されていないと検出された結果と矛盾するため、ステップＳ８０３に進み、オペレータに対する設置状態の確認を促す警告としてエラーメッセージが表示されてルーチンは終了する。
【００５１】
以上のように、本実施形態においては、モニタ３２がプロセッサ３０と一体化され、設置面が選択可能な電子内視鏡装置１０において、設置面を検出し、検出された設置面に応じて被写体像およびキャラクタ情報の表示が自動的に切替えられる。このためオペレータにとっては、同様の映像信号およびキャラクタ信号に基く被写体像およびキャラクタ情報は、プロセッサ３０の設置面が異なる場合においても、実質上同一の被写体像およびキャラクタ情報として視認される。
【００５２】
被写体像表示領域３３においても文字や数字を含むキャラクタ情報を表示しても良いし、キャラクタ表示領域３５にまで被写体像を拡大して表示しても良い。従って、キャラクタ情報が、被写体像表示領域３３内でスーパーインポーズされても良い。
【００５３】
映像信号に対する間引き処理は、モニタ画面３４の被写体像表示領域３３の第３辺γを構成する画素数と第４辺εを構成する画素数とが、同一の場合には不要である。また本実施形態と異なり、第３辺γと平行な画素配列を構成する画素数が、第４辺εと平行な画素配列を構成する画素数よりも少ない場合、側面設置時ではなく、底面設置時に間引き処理が実施されるように設定されても良い。
【００５４】
本発明の実施形態として電子内視鏡装置１０について説明したが、デジタルカメラ、デジタルビデオカメラ、表示機能付き携帯電話などの撮像機器や、ノート型パーソナルコンピュータなどの一体型モニタを備えた電子機器に本発明を適用しても良い。これらが設置面の上や三脚上に設置されず、オペレータの手によって支持されながら使用される場合、オペレータが、被写体像やキャラクタ情報の表示方向を切替えスイッチにより選択しても良い。
【００５５】
モニタ画面３４は、ＬＣＤに限定されず、ＣＲＴ（ディスプレイ管）、エレクトロルミネッセントディスプレイ、プラズマディスプレイ等のいずれであっても良い。
【００５６】
プロセッサ３０の設置面は、底面スイッチ４０および側面スイッチ４２により検出されるのではなく、メニュー表示を設けてオペレータに指定させることにより、検出されても良い。
【００５７】
底面スイッチ４０および側面スイッチ４２は、圧力を検出するスイッチではなく、自動的にプロセッサ３０の設置方向を検出する角度スイッチであっても良い。
【００５８】
オペレータにプロセッサ３０の設置状態の確認を促す警告は、第２被写体像表示方法によりモニタ画面３４上にメッセージ表示されても良いし、音声により報知させても良い。
【００５９】
【発明の効果】
以上のように本発明によれば、表示装置がプロセッサと一体化された電子内視鏡装置等の、表示装置一体型の撮像機器を有効に活用するための、画面表示の制御が可能となる。
【図面の簡単な説明】
【図１】本発明における電子内視鏡装置のブロック図である。
【図２】底面設置されているプロセッサの正面図である。
【図３】表示される被写体像を構成する画素の配列を概念的に示す図である。
【図４】底面設置時におけるモニタ画面表面の画素配列を概略的に示す図である。
【図５】底面設置時のキャラクタ表示領域における文字表示の一部を示す図である。
【図６】側面設置されているプロセッサの正面図である。
【図７】表示される被写体像を構成する画素の配列を概念的に示す図である。
【図８】側面設置時における、モニタ画面表面の画素配列を概略的に示す図である。
【図９】側面設置時のキャラクタ表示領域における文字表示の一部を示す図である。
【図１０】プロセッサの設置面を検出するルーチンを示した図である。
【符号の説明】
１０  電子内視鏡装置
１１  ＣＣＤ（撮像素子）
２０  ビデオスコープ
２１  システムコントローラ（支持面検出手段）
２５  画像メモリ
２６  後段映像信号処理回路
２７  ＬＣＤ用信号処理回路（第１・第２被写体像表示手段）
２８  タイミングコントローラ
３０  プロセッサ
３０Ｂ  プロセッサ底面（第１の面・支持面）
３０Ｓ  プロセッサ側面（第２の面・支持面）
３１  モニタ画面のフレーム（画像形成フレーム）
３２  モニタ
３３  被写体像表示領域
３４  モニタ画面（画像形成部）
３５  キャラクタ表示領域
４０  底面スイッチ（支持面検出手段）
４２  側面スイッチ（支持面検出手段）
α  モニタ画面フレームの第１辺
β  モニタ画面フレームの第２辺
γ  被写体像表示領域フレームの第３辺
ε  被写体像表示領域フレームの第４辺
【図１】
2005073721.tif 000003
【図２】
2005073721.tif 000004
【図３】
2005073721.tif 000005
【図４】
2005073721.tif 000006
【図５】
2005073721.tif 000007
【図６】
2005073721.tif 000008
【図７】
2005073721.tif 000009
【図８】
2005073721.tif 000010
【図９】
2005073721.tif 000011
【図１０】
2005073721.tif 000012